(57)【要約】【課題】本発明の課題は、まとめ買い時における表示に関し、確実に残金及び商品番号を表示することができる自動販売機の制御装置を提供することである。【解決手段】異なる商品をまとめ買い可能とするまとめ買い釦と、商品番号を入力する入力手段と、表示器とを備え、入金後、まとめ買い釦を押した後、商品番号を入力すると、入力した商品番号が表示器に表示され、決定キーを押すことで商品選択が確定することにより、異なる商品が一回の搬出動作でまとめ買い可能な自動販売機において、前記まとめ買い釦が押された後、商品番号が入力され、前記表示器に商品番号が表示されている状態で、入金があると、残金を表示器に表示する制御手段を備えたことを特徴とする。【選択図】      図１
2005062948.tif 000002
【特許請求の範囲】
【請求項１】
異なる商品をまとめ買い可能とするまとめ買い釦と、商品番号を入力する入力手段と、表示器とを備え、入金後、まとめ買い釦を押した後、商品番号を入力すると、入力した商品番号が表示器に表示され、決定キーを押すことで商品選択が確定することにより、異なる商品が一回の搬出動作でまとめ買い可能な自動販売機において、前記まとめ買い釦が押された後、商品番号が入力され、前記表示器に商品番号が表示されている状態で、入金があると、残金を表示器に表示する制御手段を備えたことを特徴とする自動販売機の制御装置。
【請求項２】
請求項１に記載の自動販売機において、制御手段は、商品番号が入力され、前記表示器に商品番号が表示されている状態で、入金があると、残金を表示器に表示する商品し、商品番号をクリアすることを特徴とする自動販売機の制御装置。
【請求項３】
異なる商品をまとめ買い可能とするまとめ買い釦と、商品番号を入力する入力手段と、表示器とを備え、まとめ買い釦を押した後、商品番号を入力すると、入力した商品番号が表示器に表示され、決定キーを押すことで商品選択が確定することにより、異なる商品がまとめ買い可能な自動販売機において、前記まとめ買い釦が押された後、先の商品番号が入力され、前記表示器に先の商品番号が表示され、決定キーが押された後、次の商品番号入力までに所定時間経過すると、表示器の表示を残金表示に切り替え、先の商品番号と残金との交互に表示する制御手段を備えたことを特徴とする自動販売機の制御装置。
【請求項４】
請求項３に記載の自動販売機において、先の商品番号と残金との交互に表示中に、次の商品番号が入力されると、交互表示を中止することを特徴とする自動販売機の制御装置。
【請求項５】
請求項３または４のいずれかに記載の自動販売機において、制御手段は、商品番号入力中は、残金表示を行なわないようにすることを特徴とする自動販売機の制御装置。
【請求項６】
請求項５に記載の自動販売機において、商品番号入力中は、商品番号が入力されてから決定キーが押されるまでの間であることを特徴とする自動販売機の制御装置。
【請求項７】
異なる商品をまとめ買い可能とするまとめ買い釦と、商品番号を入力する入力手段と、表示器とを備え、入金後、まとめ買い釦を押した後、商品番号を入力すると、入力した商品番号が表示器に表示され、決定キーを押すことで商品選択が確定することにより、異なる商品がまとめ買い可能な自動販売機において、切替スイッチを備え、前記まとめ買い釦が押された後、商品番号が入力され、前記表示器に商品番号が表示されている状態で、切替スイッチが操作されると、操作されている間は、表示器の表示を残金表示に切り替えて表示する制御手段を備えたことを特徴とする自動販売機の制御装置。
【請求項８】
請求項７に記載の自動販売機において、制御手段は、切替スイッチが操作されると、所定時間の間、先の商品番号と残金との交互に表示中に、次の商品番号が入力されると、表示器の表示を残金表示に切り替えて表示することを特徴とする自動販売機の制御装置。
【請求項９】
請求項１ないし８のいずれかに記載の自動販売機において、入金は、現金のほか、カードによる入金も含むことを特徴とする自動販売機の制御装置。
【発明の詳細な説明】
【０００１】
【発明の属する技術分野】
本発明は、商品番号を入力して商品を選択する自動販売機の制御装置に関するものである。
【０００２】
【従来の技術】
従来、まとめ買いボタン、テンキー、決定キー、表示器などの操作ユニットを自動販売機の前面右側に集中配置して備え、まとめ買い釦を押し、商品番号を入力して、決定キーを押すことにより、同じ商品を２個購入できる自動販売機が知られている（例えば、特許文献１参照）。
また、まとめ買いはできないが、テンキー、決定キー、表示器などの操作ユニットを自動販売機の前面右側に集中配置して備え、商品番号と投入金額との表示を交互に行なう自動販売機が知られている（例えば、特許文献２参照）。
【０００３】
【特許文献１】
特開２００１−３３１８６３号公報
【特許文献２】
特開２００１−２７３５４６号公報
【０００４】
【発明が解決しようとする課題】
しかしながら、上述した特許文献１に記載の自動販売機では、同一商品しか購入できないため、異なる商品をまとめ買いしたいという利用者の要望に応えられなかった。
また、上述した特許文献２に記載の自動販売機についても、一回の搬出動作でまとめ買いを行なえる構成における表示に関しては考慮されていないため、まとめ買い時の表示について対応できなかった。
本発明は、上記実情に鑑みて、まとめ買い時における表示に関し、確実に残金及び商品番号を表示することができる自動販売機の制御装置を提供することを目的とする。
【０００５】
【課題を解決するための手段】
上記の目的を達成するために、
請求項１に係る自動販売機の制御装置は、異なる商品をまとめ買い可能とするまとめ買い釦と、商品番号を入力する入力手段と、表示器とを備え、まとめ買い釦を押した後、商品番号を入力すると、入力した商品番号が表示器に表示され、決定キーを押すことで商品選択が確定することにより、異なる商品が一回の搬出動作でまとめ買い可能な自動販売機において、前記まとめ買い釦が押された後、商品番号が入力され、前記表示器に商品番号が表示されている状態で、入金があると、現残金を表示器に表示する制御手段を備えたことを特徴とする。
請求項２に係る自動販売機の制御装置は、請求項１に記載の自動販売機において、制御手段は、商品番号が入力され、前記表示器に商品番号が表示されている状態で、入金があると、残金を表示器に表示する商品し、商品番号をクリアすることを特徴とする。
【０００６】
請求項３に係る自動販売機の制御装置は、異なる商品をまとめ買い可能とするまとめ買い釦と、商品番号を入力する入力手段と、表示器とを備え、まとめ買い釦を押した後、商品番号を入力すると、入力した商品番号が表示器に表示され、決定キーを押すことで商品選択が確定することにより、異なる商品が一回の搬出動作でまとめ買い可能な自動販売機において、前記まとめ買い釦が押された後、先の商品番号が入力され、前記表示器に先の商品番号が表示され、決定キーが押された後、次の商品番号入力までに所定時間経過すると、表示器の表示を残金表示に切り替え、先の商品番号と残金との交互に表示する制御手段を備えたことを特徴とする。
請求項４に係る自動販売機の制御装置は、請求項３に記載の自動販売機において、制御手段は、先の商品番号と残金との交互に表示中に、次の商品番号が入力されると、交互表示を中止することを特徴とする。
【０００７】
請求項５に係る自動販売機の制御装置は、請求項３または４のいずれかに記載の自動販売機において、制御手段は、商品番号入力中は、残金表示を行なわないようにすることを特徴とする。
請求項６に係る自動販売機の制御装置は、請求項５に記載の自動販売機において、商品番号入力中は、商品番号が入力されてから決定キーが押されるまでの間であることを特徴とする。
請求項７に係る自動販売機の制御装置は、異なる商品をまとめ買い可能とするまとめ買い釦と、商品番号を入力する入力手段と、表示器とを備え、まとめ買い釦を押した後、商品番号を入力すると、入力した商品番号が表示器に表示され、決定キーを押すことで商品選択が確定することにより、異なる商品がまとめ買い可能な自動販売機において、切替スイッチを備え、前記まとめ買い釦が押された後、商品番号が入力され、前記表示器に商品番号が表示されている状態で、切替スイッチが操作されると、操作されている間は、表示器の表示を残金表示に切り替えて表示する制御手段を備えたことを特徴とする。
【０００８】
請求項８に係る自動販売機の制御装置は、請求項７に記載の自動販売機において、制御手段は、切替スイッチが操作されると、所定時間の間、先の商品番号と残金との交互に表示中に、次の商品番号が入力されると、表示器の表示を残金表示に切り替えて表示することを特徴とする。
請求項９に係る自動販売機の制御装置は、請求項１ないし８のいずれかに記載の自動販売機において、入金は、現金のほか、カードによる入金も含むことを特徴とする。
【０００９】
【発明の実施の形態】
以下に添付図面を参照して、本発明における自動販売機の制御装置の好適な実施の形態を詳細に説明する。
まず、本発明が適用される自動販売機の一例を図６ないし図９を用いて説明する。
図６は、本発明が適用される表示パネルを含む操作部を採用した自動販売機の例を示す正面図、図７は、図６の自動販売機の平断面図、図８は、図７の自動販売機の側断面図、図９は、図６の自動販売機操作部の拡大正面図である。
図６ないし図９に示すように、本実施の形態の対象となる自動販売機は、本体ケース１内に商品を収納する。本体ケース１は、断熱筐体を構成し、前面側の略上半部に開口２を有している。開口２には、前面扉３が設けてある。前面扉３は、矩形の枠体３ａにガラスなどの透明板材３ｂを嵌め込んだものである。前面扉３は、左右一対で構成されて開口２を塞ぎ、それぞれ開口２の左側縁と右側縁とに軸支されて本体ケース１の開口２を左右方向に開閉する。また、本体ケース１と前面扉３との間には、施錠装置４が設けてある。施錠装置４は、本体ケース１の前面側からの施錠／解錠操作により前面扉３の開閉を許可／拒否状態にする。前面扉３は、通常、施錠装置４によって施錠されて開閉拒否状態にしてある。なお、各前面扉３の開放端部には、前面扉３の開放に際して手を掛けられるように取手５が設けてある。
【００１０】
本体ケース１の前面側の下方には、商品取出口６が設けてある。図８に示すように、商品取出口６は、矩形状に開口して本体ケース１の内外に通じてなり、取出扉７により開閉できる。取出扉７は、その下部が商品取出口６の下縁に軸支され、前下方向に回動して商品取出口６を開放する。また、取出扉７は、錘７ａによって自動で商品取出口６を閉塞するように回動する。なお、取出扉７には、不図示の扉ロック機構が設けてあり、この扉ロック機構によって取出扉７の閉塞状態を維持できる。
本体ケース１の内部後側であって、前面扉３で開閉される開口２の内側部位には、商品の収納庫８が構成してある。収納庫８には、複数段（本実施の形態では６段）の商品収容棚９が設けてある。各商品収容棚９は、収納部としての商品収納ラック１０（以下ラックという）を左右方向に複数列（本実施の形態では８列）並設することにより構成してある。ラック１０には、搬送手段１１が設けてある。搬送手段１１は、前後に平行配置したローラ１１ａに無端状の搬送ベルト１１ｂを掛け回してなる。搬送ベルト１１ｂの上面は、前後方向に水平に配置してある。そして、搬送手段１１は、搬送ベルト１１ｂの上面に商品を載置した状態とし、ローラ１１ａを駆動することにより搬送ベルト１１ｂを循環して当該商品を後方から前方（商品払出し方向）に向けて払出す。
【００１１】
各ラック１０は、各搬送手段１１による商品払出し方向が相互に平行となる態様で左右方向に並設してある。そして、隣接する各ラック１０は、搬送手段１１を連動可能に構成してある。すなわち、互いに隣接するラック１０の各搬送手段１１を連動して、比較的大型の商品を収納して搬送するラック１０が得られる。なお、隣接するラック１０の搬送手段１１を順次連動させれば、１つの商品収容棚９に並べた全てのラック１０を１つのラック１０とすることができる。この場合には全ラック１０の総左右幅が商品払出し領域の最大領域となる。なお、ラック１０には、例えば、最上段の商品収容棚９にあるラック１０に左側から１〜８の番号が付されており、以下の段の商品収容棚９にあるラック１０にそれぞれ左側から９〜１６、１７〜２４、…の番号が付されている。
【００１２】
本体ケース１の内部前側であって、商品収容棚９の前方域には、商品搬出手段が設けてある。図７および図８に示すように、商品搬出手段は、商品受台１２（以下受台という）を備えている。受台１２は、１つの商品収容棚９に並べた全ラック１０の総左右幅に対応した幅、つまり商品払出し領域の最大領域と同一の幅を有して形成してある。受台１２は、左右幅方向の端部に左右側壁１３を有している。左右側壁１３の間には、前下方向に傾斜して商品収容領域をなす受取面１４を形成してある。このように構成した受台１２は、商品収容棚９の前方域にて上下方向に昇降可能であり、各商品収容棚９に対応して商品を受け取る各受取位置（図８中二点鎖線で示す）と、商品取出口６に対応して商品を本体ケース１の外部に受け渡す取出位置（図８中実線で示す）との間を移動する。
【００１３】
また、商品搬出手段は、駆動部１５を備えている。駆動部１５は、ラック１０の搬送手段１１を駆動する。この駆動部１５は、受台１２に設けてあって、受台１２の左右方向に移動可能である。そして、駆動部１５は、受台１２が受取位置にあるとき、各ラック１０に対応する駆動位置に移動して各ラック１０の搬送手段１１に動力を伝達する。動力が伝達されたラック１０は、搬送ベルト１１ｂが循環して搬送ベルト１１ｂ上の商品を受台１２の受取面１４に向けて払出す。
また、商品搬出手段は、内扉１６を備えている。内扉１６は、板状とされた下端が受台１２の前側下方に軸支されて前下方向に回動可能である。この内扉１６は、受台１２が取出位置にあるときに商品取出口６と対向する受台１２の受取面１４を開放するように回動が許される。このとき、内扉１６は商品取出口６の取出扉７に重なる位置にあり、商品取出口６を開放するべく取出扉７を回動させた際に共に回動する。そして、受台１２の受取面１４にある商品を商品取出口６から本体ケース１の外に取り出すことができる。また、内扉１６は、受台１２が移動しているときや各受取位置に移動したときには受台１２の前側を閉塞するように起立した位置で回動が規制され、各ラック１０から搬送された商品が受台１２から落下するのを防止する。
【００１４】
一方、本体ケース１の内部前側には、最下段の商品収容棚９の下側の位置であって、取出位置にある受台１２の上部位置にカバー部材１７が設けてある。図７に示すように、カバー部材１７は、矩形状の板で形成してあり、略水平配置された状態で前端側が軸支されて前上方向に回動可能に構成してある。このカバー部材１７は、受台１２が取出位置にあるとき、略水平な位置に回動して受台１２を隠蔽する。このとき、カバー部材１７は、カバーロック機構１８によって係止してあり当該隠蔽状態が維持される。この結果、商品取出口６から受台１２にある商品を取り出す際に受台１２がある領域と、商品収容棚９がある領域との間を仕切ることが可能となる。また、カバー部材１７は、受台１２が移動しているとき、各受取位置に移動したときに、上記カバーロック機構１８を解除して略垂直な位置に回動し、受台１２の通過を許容する。
【００１５】
本体ケース１の外部であって、図６中本体ケース１の右側部には、本体ケース１に連設された操作ユニット２０が構成してあり、操作ユニット２０は、商品を自動販売する際に金銭などの受容や払出しを行なう課金部２１と、商品の選択を行なう操作部２２と、ランプ内蔵のまとめ買い釦２３、切替スイッチ２４を有している。
図９に示すように、操作部２２には、商品選択用のテンキー２２Ａおよび決定キー２２Ｂ、訂正キー２２Ｃなどの操作ボタン２２ａ、選択した商品のラック番号又は入金額，残金，つり銭金額などを表示する４桁で構成され、７セグメント表示装置からなる表示パネル２２ｂ、釣切、札中止ランプ２２ｃなどがある。
次に、課金部２１には、紙幣を受容する紙幣口２１ａ、硬貨を受容する硬貨口２１ｂ、つり銭や紙幣・硬貨の返却を指示する返却レバー２１ｃ、釣銭などを返却する返却口２１ｄなどがある。
【００１６】
ところで、本実施の形態にて例示する自動販売機は、商品を自動販売する自動販売機として使用可能であるとともに、有人販売を前提としたショーケースとしても使用することができる。自動販売機として使用する自動販売機モードでは、前面扉３を施錠した状態とし、操作ユニット２０を使用できるように設定する。
ショーケースとして使用するショーケースモードでは、前面扉３を解錠するとともに取出扉７を開閉不可とした状態とし、操作ユニット２０を使用できないように設定する。また、ショーケースモードでは、商品搬出手段の受台１２を取出位置に待機させて、受台１２をカバー部材１７で覆い隠蔽状態とする。
このように構成された自動販売機を対象とした本発明の動作説明を図１ないし図５を用いて説明する。
【００１７】
図１は本実施の形態を示す自動販売機を制御するブロック図、図２は図１のブロック図の一部詳細を示す制御ブロック図、図３，図４は図１，図２の動作処理を示すフローチャート、図５は表示形態を示す図である。
図１および図２に示すように、主制御部３０は、ＣＰＵ３０ａにより構成されており、ＲＯＭ３１やＲＡＭ３２に格納されたプログラムおよびデータに基づいて自動販売機の動作を統括的に制御する。この主制御部３０には、通信ドライバ３３を介して、投入された硬貨、紙幣の受入、払出制御を行なう貨幣識別手段３４、表示パネル２２ｂの表示を制御する表示パネル制御手段３５、操作ボタン２２ａを制御する押釦制御手段３６、自動販売機の商品搬出（搬送）を制御する搬送制御部３７が接続してある。なお、ランプ内蔵のまとめ買い釦２３、切替スイッチ２４は主制御部３０にて直接制御されるため、主制御部３０に接続してある。
【００１８】
次に、図２に示すように、表示パネル制御手段３５はＣＰＵ３５ａ、ＲＯＭ３５ｂ、ＲＡＭ３５ｃに基づいて制御され、トランジスタ（Ｔｒ）３５ｄを介して４桁の７セグメント表示装置３５ｆの表示を制御する。なお、主制御部より通信ドライバ３５ｅを介してデータの送受信が行なわれる。また、押釦制御手段３６も同様にＣＰＵ３６ａ、ＲＯＭ３６ｂ、ＲＡＭ３６ｃに基づいて制御され、トランジスタ（Ｔｒ）３６ｄを介して０〜９までのテンキー２２Ａ、決定キー２２Ｂ、訂正キー２２Ｃなどの操作ボタン２２ａの入力を受付け、この入力を通信ドライバ３６ｅから主制御部３０へ送信し、主制御部３０から表示パネル制御手段３５に入力された操作ボタン２２ａに基づいた表示を行なわせるものである。
以下、図３に示す自動販売機モード時のまとめ買い時の動作を示すフローチャートを用いて動作を説明する。
【００１９】
図３に示すように、課金部２１の紙幣口２１ａ又は硬貨口２１ｂから貨幣の投入（入金）が行なわれると（Ｓ１）、操作ボタン２２ａおよびまとめ買い釦２３が有効となる。この時にまとめ買いが有効な場合には、まとめ買い釦２３の内蔵ランプを点滅させて（Ｓ２）、まとめ買い可能であることを利用者に報知する。
次に、まとめ買い釦２３が押されたか否かを判断し（Ｓ３）、まとめ買い釦２３が押されると（Ｓ３、Ｙｅｓ）、まとめ買い釦２３に内蔵のランプを点滅から点灯状態へ切り替える（Ｓ４）。
次に、テンキー２２Ａにより、商品のラック番号の入力が行なわれると（Ｓ５、Ｙｅｓ）、表示パネル２２ｂに商品のラック番号が点滅表示され（Ｓ６）、この時点で入金があると（Ｓ７、Ｙｅｓ）、入力した商品番号はクリアされ（Ｓ８）、金額表示（残金）に切り替わる（Ｓ９）。このように決定キー２２Ｂが押される前に入金があると、入力された商品のラック番号がクリアされるようになっている。なお、クリアせずに商品のラック番号を残しておき、金額表示を所定時間の間、行なわせた後、入力中のラック番号の表示に切り替え、続きを入力できるようにしても良い。
【００２０】
次に、ステップＳ７にて入金がなく（Ｓ７、Ｎｏ）、決定キー２２Ｂが押されると（Ｓ１０、Ｙｅｓ）、入力した商品のラック番号が点滅状態から点灯状態に切り替わり（Ｓ１１）、次のステップＳ１２に進む。このように、商品のラック番号の選択は、テンキー２２Ａと決定キー２２Ｂとで行なわれ、テンキー２２Ａ押した後、決定キー２２Ｂを押すことにより、主制御部３０で販売可能か否かを判断して商品選択が完了する。なお、まとめ買い釦２３が押されずに（Ｓ３、Ｎｏ）、商品のラック番号入力に進めば、単品販売が行なわれるものである。
次に、ステップＳ１２では、まとめ買いのため、テンキー２２Ａにより、次商品のラック番号入力が行なわれると（Ｓ１２、Ｙｅｓ）、先に入力された商品のラック番号が表示パネル２２ｂの上位２桁（正面から見て左）側に移動して表示され（Ｓ１３）、今回入力した番号が表示パネル２２ｂの下位２桁（正面から見て右）側に点滅表示され（Ｓ１４）、この時点で入金があると（Ｓ１５、Ｙｅｓ）、入力した商品番号はクリアされ（Ｓ１６）、金額表示（残金）に切り替わる（Ｓ１７）。このように決定キー２２Ｂが押される前に入金があると、入力された番号がクリアされ、金額表示（残金）されるようになっているが、既に決定キー２２Ｂが押されて選択が確定している先の商品のラック番号はクリアされず、選択済みの商品のラック番号と金額表示（残金）とを３秒周期で交互表示し（Ｓ１８）、テンキー２２Ａが操作されるまで継続し、テンキー２２Ａが操作されると、商品のラック番号のみの表示に切り替わる。なお、この時点においても、クリアせずに商品のラック番号を残しておき、金額表示を所定時間の間、行なわせた後、入力中のラック番号の表示に切り替え、続きを入力できるようにしても良い。
【００２１】
一方、ステップＳ１２にて、テンキー２２Ａによる商品のラック番号の入力が所定時間、例えば、３秒間行なわれないと（Ｓ１９、Ｙｅｓ）、金額表示（残金）に切り替わり（Ｓ１７）、選択済みの商品のラック番号と金額表示（残金）とを３秒周期で交互表示し（Ｓ１８）、テンキー２２Ａが操作されるまで継続するものである。
この交互表示の一例として図５に示すように、表示パネル２２ｂの所定位置に商品のラック番号「１２」と金額表示（残金）「６００」とを交互表示する。
次に、ステップＳ１５にて入金がなく（Ｓ１５、Ｎｏ）、決定キー２２Ｂが押されると（Ｓ２０、Ｙｅｓ）、商品のラック番号が点滅状態から点灯状態に切り替わる（Ｓ２１）。このように、２個の商品をまとめ買いしようとすると、表示パネル２２ｂの４桁を利用して、図９に示すように選択された商品のラック番号「１２１３」が表示され、商品のラック番号「１２」と「１３」の商品を選択したことが容易に目視でき、次に、商品の搬出動作となる（Ｓ２２）。
【００２２】
この搬出動作について簡単に説明すると、受台１２を選択した商品の中で商品取出口６に近い側でこの場合は下方に位置するラック１０がある商品収容棚９の受取位置まで移動し、受台１２にラック１０の商品を搬送し、受台１２側で商品の受取りを検知すると、次のラック位置に移動し、上記と同様に商品を受け取る。このように、受台１２が移動開始して商品を受け取るまでの間、その対象となる商品のラック番号を点滅表示する。
次に、全ての商品を受け取った受台１２は、下降を開始し、取出位置に受台１２が商品取出口６まで下降して、取出位置に移動すると、取出扉７のロックを解除するとともに、内扉１６の閉塞を解除して取出扉７が開放されると、商品搬出完了となり、ラック番号の表示は消え、残金があれば、残金の表示に切り替わり、釣銭として返却口２１ｄに返却され、処理を終了する。
【００２３】
次に、図４のフローチャートを用いて、切替スイッチ２４を使用した場合の交互表示について説明すると、Ｓ１〜Ｓ１１までは、図３のフローチャートと同一であり説明を省略するが、先の商品のラック番号の入力に対して決定キー２２Ｂを押すと、商品のラック番号が点灯状態となる（Ｓ１１）。この時点で切替スイッチ２４を押すと（Ｓ４１）、押圧している間だけ、金額表示（残金）に切り替え（Ｓ４２）、切替スイッチ２４の操作を中止すると（Ｓ４３）、商品のラック番号の表示に戻るものである（Ｓ４４）。このように、入金してから、まとめ買い釦２３を押した後、切替スイッチ２４を押すことにより、押している間だけ、金額表示（残金）に切り替え、残金の確認を容易にするものである。なお、切替スイッチ２４を１回操作すると、金額表示（残金）に切り替え、もう一度切替スイッチ２４を操作すると、商品のラック番号の表示に戻るようにしてもよい。
【００２４】
また、この別の方式として、図４のフローチャートを参照すると、切替スイッチ２４を押すと（Ｓ５１）、所定時間（３〜５秒）のみ残金表示に切り替え（Ｓ５２、Ｓ５３）、その後、商品のラック番号表示に切り替えてもよい。
なお、貨幣の入金に基づき例について説明したが、カードなどの電子マネーによる入金に基づき、上記実施の形態を実施しても良いことは明らかである。
【００２５】
【発明の効果】
以上説明したように、本発明によれば、異なる商品をまとめ買い可能とするまとめ買い釦と、商品番号を入力する入力手段と、表示器とを備え、まとめ買い釦を押した後、商品番号を入力すると、入力した商品番号が表示器に表示され、決定キーを押すことで商品選択が確定することにより、異なる商品が一回の搬出動作でまとめ買い可能な自動販売機において、前記まとめ買い釦が押された後、商品番号が入力され、前記表示器に商品番号が表示されている状態で、入金があると、現残金を表示器に表示する制御手段を備えたことにより、残金の確認が容易に行なえるものである。
また、このときに決定キーが押されるまでの商品番号はクリアするようにして、誤入力を防ぐものである。
【００２６】
また、所定時間の間、入力がないと、確定済みの商品選択番号と残金とを交互表示することにより、商品番号と残金との両方の確認が容易となり、先の商品番号と残金との交互に表示中に、次の商品番号が入力されると、交互表示を中止し、また、商品番号が入力されてから決定キーが入力されるまでは残金表示をしないことで、商品番号表示を優先させることにより、商品購入者の選択時に不要な表示切替が行なわれくなり、表示がわかり易くなる。
さらに、切替スイッチを設けることで、必要なときのみ残金表示に切り替えることで商品購入者にとって残金の確認がし易くなるものである。
【図面の簡単な説明】
【図１】本発明の自動販売機の機能ブロック図である。
【図２】本発明の自動販売機の機能ブロック図である。
【図３】本発明の自動販売機の販売動作を示すフローチャートである。
【図４】本発明の自動販売機の販売動作を示すフローチャートである。
【図５】本発明の表示形態を示す図である。
【図６】本発明の対象となる自動販売機の正面図である。
【図７】図５の自動販売機の平断面図である。
【図８】図５の自動販売機の側断面図である。
【図９】図５の自動販売機の操作部の部分拡大図である。
【符号の説明】
１０      商品収納ラック（収納部）
２２ａ    操作ボタン
２２ｂ    表示パネル
２３      まとめ買い釦
２４      切替スイッチ
３０      主制御部
３５      表示パネル制御手段
３６      押釦制御手段
【図１】
2005062948.tif 000003
【図２】
2005062948.tif 000004
【図３】
2005062948.tif 000005
【図４】
2005062948.tif 000006
【図５】
2005062948.tif 000007
【図６】
2005062948.tif 000008
【図７】
2005062948.tif 000009
【図８】
2005062948.tif 000010
【図９】
2005062948.tif 000011